(57)【要約】【課題】視認性及び操作性の両方を同時に満足させ、安全運転を促進することができる表示分離型スイッチを提供する。【解決手段】運転席に着座したドライバから視認可能な定められた部位に固定的に配置され、異なる情報をそれぞれ指示する複数の情報指示部１ａ〜１ｃを有する表示部１と、表示部とは独立し且つドライバから手の届く範囲に固定的に配置され、複数の情報指示部をそれぞれ指示制御するための複数の操作スイッチ部２ａ〜２ｃを有する操作部２とを含む。また、複数の情報指示部１ａ〜１ｃの配置関係と、複数の情報指示部をそれぞれ指示制御するための複数の操作スイッチ部２ａ〜２ｃの配置関係と、を同等にしている。【選択図】図１
2005297763.tif 000002
【特許請求の範囲】
【請求項１】
車載される表示分離型スイッチであって、
運転席に着座したドライバから視認可能な定められた部位に固定的に配置され、異なる情報をそれぞれ指示する複数の情報指示部を有する表示部と、
前記表示部とは独立し且つ前記ドライバから手の届く範囲に固定的に配置され、前記複数の情報指示部をそれぞれ指示制御するための複数の操作スイッチ部を有する操作部と、
を含むことを特徴とする表示分離型スイッチ。
【請求項２】
請求項１記載の表示分離型スイッチにおいて、
前記複数の情報指示部の配置関係と、前記複数の情報指示部をそれぞれ指示制御するための複数の操作スイッチ部の配置関係と、を同等にした、
ことを特徴とする表示分離型スイッチ。
【請求項３】
請求項２記載の表示分離型スイッチにおいて、
前記表示部は、
前記情報指示部として、指針とこの指針に指示される意匠とを含み、
前記操作部は、
前記操作スイッチ部として、前記指針を回転制御するためのダイヤル式スイッチを含む、
ことを特徴とする表示分離型スイッチ。
【請求項４】
請求項２記載の表示分離型スイッチにおいて、
前記表示部は、
前記情報指示部として、光源の点灯により指示される意匠を含み、
前記操作部は、
前記操作スイッチ部として、前記光源を点灯制御するためのプッシュ式スイッチを含む、
ことを特徴とする表示分離型スイッチ。
【請求項５】
請求項３記載の表示分離型スイッチにおいて、
前記表示部は、
前記情報指示部として、光源の点灯により指示される意匠を含み、
前記操作部は、
前記操作スイッチ部として、前記光源を点灯制御するためのプッシュ式スイッチを含む、
ことを特徴とする表示分離型スイッチ。
【請求項６】
請求項１〜請求項５のいずれか一項に記載の表示分離型スイッチにおいて、
前記操作スイッチ部の操作に応答して、該当する前記情報指示部のみの輝度をアップさせ、前記操作スイッチ部が操作されてから所定時間経過後には、輝度をアップさせた前記情報指示部の輝度をもとの輝度に戻す輝度制御手段を含む、
ことを特徴とする表示分離型スイッチ。
【発明の詳細な説明】
【技術分野】
【０００１】
本発明は、車載される、所定の電装機器の表示部及び操作部を分離した表示分離型スイッチに関する。
【背景技術】
【０００２】
近年、車室フロント部の、特に、センタークラスタには、オーディオ機器やエアコン機器等の複数種の電装機器が統合された、マルチディスプレイ型スイッチが搭載されることが多くなっている。図７は、従来のマルチディスプレイ型スイッチを示す正面図である。
【０００３】
図７に示すように、マルチディスプレイ型スイッチ９は、オーディオ機器やエアコン機器等に関する情報を選択的に表示するマルチディスプレイ型の表示部９１、パワースイッチ９２、オーディオ機器のボリュームスイッチ９３、エアコンの風向や風量を制御するためのスイッチ９４、９５、モード選択スイッチ９６、オーディオ機器としてのＦＭ、ＡＭ受信機のチャネル選択スイッチ９７、オーディオ機器としてのＣＤ、ＭＤ演奏機の操作スイッチ部９８等を有している。
【０００４】
このような構成において、運転席に着座したドライバは、パワースイッチ９２を操作した後、モード選択スイッチ９６を操作して所望のモードを選択した後、更に、選択したモードに対応するスイッチ９３、９７、９８等を操作する。これらの操作に対応して、表示部９１上には、選択されたモードに関する情報が表示されるようになっている。なお、このような表示一体型スイッチ９は、下記特許文献１等でも開示されている。
【０００５】
なお、この出願の発明に関連する先行技術文献情報としては次のものがある。
【特許文献１】特開２０００−３１１５４２号公報
【特許文献２】特開２００１−１１３９８１号公報
【発明の開示】
【発明が解決しようとする課題】
【０００６】
上述のようなマルチディスプレイ型スイッチは、複数種の電装機器が統合されているため、スペース効率はよくなる反面、安全運転の面で好ましくないことがある。すなわち、ドライバは、所望のスイッチを操作するために、多数のスイッチ群のうちから、そのスイッチの位置を正確に視認する必要がある。したがって、運転が散漫になって、安全運転の面で好ましくない。
【０００７】
また、表示部９１には、選択されたモードにおいて特定のスイッチ操作を促すような情報が表示されることもあるが、このときにも、ドライバは所望のスイッチを操作するために、そのスイッチの位置を視認する必要があり、この点でも安全運転の面で好ましくない。なお、特許文献２では、所定のモードに限り、スイッチと表示情報との配置を対応させる例を示してはいるが、マルチディスプレイ型であるために、このモードにたどりつくまでに、上記従来例と同様のスイッチ操作を行う必要があり、やはり安全運転の面で好ましくない。
【０００８】
よって本発明は、上述した現状に鑑み、視認性及び操作性の両方を同時に満足させ、安全運転を促進することができる表示分離型スイッチを提供することを課題としている。
【課題を解決するための手段】
【０００９】
上記課題を解決するためになされた請求項１記載の表示分離型スイッチは、車載される表示分離型スイッチであって、運転席に着座したドライバから視認可能な定められた部位に固定的に配置され、異なる情報をそれぞれ指示する複数の情報指示部を有する表示部と、前記表示部とは独立し且つ前記ドライバから手の届く範囲に固定的に配置され、前記複数の情報指示部をそれぞれ指示制御するための複数の操作スイッチ部を有する操作部と、を含むことを特徴とする。
【００１０】
請求項１記載の発明によれば、運転席に着座したドライバから視認可能な定められた部位に固定的に配置され、異なる情報をそれぞれ指示する複数の情報指示部を有する表示部と、表示部とは独立し且つドライバから手の届く範囲に固定的に配置され、複数の情報指示部をそれぞれ指示制御するための複数の操作スイッチ部を有する操作部とを含むので、ドライバの視認性及び操作性の両方を同時に満足させることが可能になる。
【００１１】
上記課題を解決するためになされた請求項２記載の表示分離型スイッチは、請求項１記載の表示分離型スイッチにおいて、前記複数の情報指示部の配置関係と、前記複数の情報指示部をそれぞれ指示制御するための複数の操作スイッチ部の配置関係と、を同等にした、ことを特徴とする。
【００１２】
請求項２記載の発明によれば、複数の情報指示部の配置関係と、複数の情報指示部をそれぞれ指示制御するための複数の操作スイッチ部の配置関係と、を同等にしている。よって、ドライバは、操作スイッチ部を視認することなく、所望の情報指示部を指示制御すること、すなわち、ブラインド操作が可能になる。
【００１３】
上記課題を解決するためになされた請求項３記載の表示分離型スイッチは、請求項２記載の表示分離型スイッチにおいて、前記表示部は、前記情報指示部として、指針とこの指針に指示される意匠とを含み、前記操作部は、前記操作スイッチ部として、前記指針を回転制御するためのダイヤル式スイッチを含む、ことを特徴とする。
【００１４】
請求項３記載の発明によれば、表示部は、指針とこの指針に指示される意匠とを含み、操作部は、指針を回転制御するためのダイヤル式スイッチを含む。
【００１５】
上記課題を解決するためになされた請求項４記載の表示分離型スイッチは、請求項２記載の表示分離型スイッチにおいて、前記表示部は、前記情報指示部として、光源の点灯により指示される意匠を含み、前記操作部は、前記操作スイッチ部として、前記光源を点灯制御するためのプッシュ式スイッチを含む、ことを特徴とする。
【００１６】
請求項４記載の発明によれば、表示部は、光源の点灯により指示される意匠を含み、操作部は、光源を点灯制御するためのプッシュ式スイッチを含む。
【００１７】
上記課題を解決するためになされた請求項５記載の表示分離型スイッチは、請求項３記載の表示分離型スイッチにおいて、前記表示部は、前記情報指示部として、光源の点灯により指示される意匠を含み、前記操作部は、前記操作スイッチ部として、前記光源を点灯制御するためのプッシュ式スイッチを含む、ことを特徴とする。
【００１８】
請求項５記載の発明によれば、表示部は、指針とこの指針に指示される意匠とを含み、操作部は、指針を回転制御するためのダイヤル式スイッチを含む。また、表示部は、光源の点灯により指示される意匠も含み、操作部は、光源を点灯制御するためのプッシュ式スイッチも含む。
【００１９】
上記課題を解決するためになされた請求項６記載の表示分離型スイッチは、請求項１〜請求項５のいずれか一項に記載の表示分離型スイッチにおいて、前記操作スイッチ部の操作に応答して、該当する前記情報指示部のみの輝度をアップさせ、前記操作スイッチ部が操作されてから所定時間経過後には、輝度をアップさせた前記情報指示部の輝度をもとの輝度に戻す輝度制御手段を含む、ことを特徴とする。
【００２０】
請求項６記載の発明によれば、操作スイッチ部の操作に応答して、該当する情報指示部のみの輝度がアップされ、操作スイッチ部が操作されてから所定時間経過後には、輝度アップされた情報指示部の輝度がもとの輝度に戻される。よって、操作したスイッチ部を正確にドライバに認識させることができる。
【発明の効果】
【００２１】
請求項１記載の発明によれば、運転席に着座したドライバから視認可能な定められた部位に固定的に配置され、異なる情報をそれぞれ指示する複数の情報指示部を有する表示部と、表示部とは独立し且つドライバから手の届く範囲に固定的に配置され、複数の情報指示部をそれぞれ指示制御するための複数の操作スイッチ部を有する操作部とを含むので、ドライバの視認性及び操作性の両方を同時に満足させることが可能になる。したがって、安全運転が促進される。
【００２２】
請求項２記載の発明によれば、複数の情報指示部の配置関係と、複数の情報指示部をそれぞれ指示制御するための複数の操作スイッチ部の配置関係と、を同等にしている。よって、ドライバは、操作スイッチ部を視認することなく、所望の情報指示部を指示制御すること、すなわち、ブラインド操作が可能になる。したがって、安全運転がより促進される。
【００２３】
請求項３記載の発明によれば、表示部は、指針とこの指針に指示される意匠とを含み、操作部は、指針を回転制御するためのダイヤル式スイッチを含む。したがって、連続的に変化するアナログ式の情報指示も可能になり適用範囲が広がる。
【００２４】
請求項４記載の発明によれば、表示部は、光源の点灯により指示される意匠を含み、操作部は、光源を点灯制御するためのプッシュ式スイッチを含む。したがって、直感的に指示情報を把握させることが可能になり適用範囲が広がる。
【００２５】
請求項５記載の発明によれば、表示部は、指針とこの指針に指示される意匠とを含み、操作部は、指針を回転制御するためのダイヤル式スイッチを含む。また、表示部は、光源の点灯により指示される意匠も含み、操作部は、光源を点灯制御するためのプッシュ式スイッチも含む。したがって、連続的に変化するアナログ式の情報指示及び直感的な情報指示が可能になり適用範囲が更に広がる。
【００２６】
請求項６記載の発明によれば、操作スイッチ部の操作に応答して、該当する情報指示部のみの輝度がアップされ、操作スイッチ部が操作されてから所定時間経過後には、輝度アップされた情報指示部の輝度がもとの輝度に戻される。したがって、操作したスイッチ部を正確にドライバに認識させることができるので、安全運転がより促進される。
【発明を実施するための最良の形態】
【００２７】
以下、本発明の実施の形態を図面に基づいて説明する。まず、図１及び図２を用いて、本発明の第１実施形態の基本構成について説明する。図１は、第１実施形態の表示分離型スイッチがセンタクラスタに配置された状態を示す図である。図２は、第１実施形態の表示分離型スイッチの拡大正面図である。
【００２８】
図１に示すように、第１実施形態の表示分離型スイッチは、表示部１及び操作部２が分離独立されて、例えば、車室前方のセンタークラスタ３に配置されている。なお、センタークラスタ３やその近傍には、速度計やエンジン回転計等が一体化されたコンビネーションメータ４、送風吹出口５、オーディオ機器６等も配置されている。
【００２９】
この表示分離型スイッチの表示部１は、運転席に着座したドライバから視認可能な定められた部位に固定的に配置され、異なる情報をそれぞれ指示する複数の情報指示部１ａ、１ｂ、１ｃを有して構成される。情報指示部１ａ、１ｂ、１ｃは、アナログ式の指示部を含んでおり、図２において、詳細に説明する。表示部１は、ドライバの有効視野範囲に配置されるようにすることが好ましい。なお、有効視野範囲は、運転席に正しく着座した標準的なドライバが眼球運動だけで、瞬時に視認できる範囲であり、左右１５゜、上８゜、下１２゜程度の範囲内である。
【００３０】
また、操作部２は、表示部１の下方のドライバから手の届く範囲に固定的に配置され、上記複数の情報指示部１ａ、１ｂ及び１ｃをそれぞれ指示制御するための複数の操作スイッチ部２ａ、２ｂ及び２ｃを有して構成される。操作スイッチ部２ａ、２ｂ及び２ｃは、アナログ式の指示部を回転制御するためのダイヤル式スイッチを含んでおり、図２において、詳細に説明する。
【００３１】
このように、この表示分離型スイッチの表示部１は、運転席に着座したドライバから視認可能な定められた部位に固定的に配置され、操作部２は、表示部１の下方のドライバから手の届く範囲に固定的に配置されているので、ドライバの視認性及び操作性の両方を同時に満足させることが可能になる。したがって、安全運転が促進される。
【００３２】
図２に示すように、情報指示部１ａは、指針１ａ１、指針１ａ１に指示される意匠１ａ２、オンオフ点灯される意匠１ａ３、１ａ４を含んでいる。指針１ａ１は、図示しないムーブメントの回転軸に指針軸が挿通され、所定の制御信号に応じた回転軸の回転により所定の意匠１ａ２を指示する。指針１ａ１は、周知のように、背面に配置された光源からの光により所定の色で光輝する。意匠１ａ２、１ａ３、１ａ４は、黒地の文字板に中抜き印刷されて形成されている。意匠１ａ２、１ａ３、１ａ４は、背面に配置された光源が制御されて点灯及び輝度制御される。
【００３３】
また、情報指示部１ｂも、情報指示部１ａと同様に、指針１ｂ１、指針１ｂ１に指示される意匠１ｂ２、オンオフ点灯される意匠１ｂ３、１ｂ４を含んでいる。指針１ｂ１は、図示しないムーブメントの回転軸に指針軸が挿通され、所定の制御信号に応じた回転軸の回転により所定の意匠１ｂ２を指示する。指針１ｂ１は、背面に配置された光源からの光により所定の色で光輝する。意匠１ｂ２、１ｂ３、１ｂ４は、背面に配置された光源が制御されて点灯及び輝度制御される。
【００３４】
また、情報指示部１ｃは、情報指示部１ａと同様に、指針１ｃ１、指針１ｃ１に指示される意匠１ｃ２、オンオフ点灯される意匠１ｃ３、１ｃ４を含んでいる。指針１ｃ１は、図示しないムーブメントの回転軸に指針軸が挿通され、所定の制御信号に応じた回転軸の回転により所定の意匠１ｃ２を指示する。指針１ｃ１は、背面に配置された光源からの光により所定の色で光輝する。意匠１ｃ２、１ｃ３、１ｃ４は、背面に配置された光源が制御されて点灯及び輝度制御される。
【００３５】
一方、操作スイッチ部２ａは、情報指示部１ａに対応し、ダイヤルプッシュ式スイッチ２ａ１（請求項中ではダイヤル式スイッチに対応する）、プッシュ式スイッチ２ａ４から構成されている。ダイヤルプッシュ式スイッチ２ａ１は、ダイヤル式スイッチ及びプッシュ式スイッチが一体化されたものである。
【００３６】
ダイヤルプッシュ式スイッチ２ａ１が、ダイヤル式スイッチとして機能するときには、上記制御信号を発生させて指針１ａ１を回転制御する。すなわち、図中、矢印で示すように、ダイヤルプッシュ式スイッチ２ａ１が操作されると、スイッチ２ａ１の回転角に応じて発生された制御信号により、これに応じた角度だけ指針１ａ１が回転される。勿論、指示以外の本来の制御もこれと共に行われる。
【００３７】
ダイヤルプッシュ式スイッチ２ａ１が、プッシュ式スイッチとして機能するときには、該当する光源を点灯制御する。すなわち、ダイヤルプッシュ式スイッチ２ａ１のオンオフに応答して該当する光源が点灯制御されて、これに応じて意匠１ａ３も点灯制御される。
【００３８】
また、プッシュ式スイッチ２ａ４のオンオフに応答して該当する光源が点灯制御されて、これに応じて意匠１ａ４が点灯制御される。なお、指針１ａ１、意匠１ｃ２、１ｃ３、１ｃ４は点灯制御されると共に、輝度制御も行われる。これらについては、図５及び図６を用いて説明を加える。
【００３９】
なお、操作スイッチ部２ｂにおけるスイッチ２ｂ１、スイッチ２ｂ４もそれぞれ、上記操作スイッチ部２ａにおけるスイッチ２ａ１、スイッチ２ａ４と同様に、情報指示部１ｂにおける指針１ｂ１、意匠１ｂ２、意匠１ｂ３、１ｂ４を指示制御するためのものである。また、操作スイッチ部２ｃにおけるスイッチ２ｃ１、スイッチ２ｃ４もそれぞれ、上記操作スイッチ部２ａにおけるスイッチ２ａ１、スイッチ２ａ４と同様に、情報指示部１ｃにおける指針１ｃ１、意匠１ｃ２、意匠１ｃ３、１ｃ４を指示制御するためのものである。したがって、重複説明は省略する。
【００４０】
このような構成に加えて、情報指示部１ａ、１ｂ及び１ｃの配置関係と、これら情報指示部１ａ、１ｂ及び１ｃをそれぞれ指示制御するための操作スイッチ部２ａ、２ｂ及び２ｃの配置関係とは、同等になっている。すなわち、情報指示部１ａに操作スイッチ部２ａが対応し、情報指示部１ｂに操作スイッチ部２ｂが対応し、情報指示部１ｃに操作スイッチ部２ｃが対応するようになっている。
【００４１】
より詳細には、指針１ａ１、意匠１ａ２、意匠１ａ３及び、意匠１ａ４の配置関係と、これらをそれぞれ指示制御するためのスイッチ２ａ１及びスイッチ２ａ４の配置関係も同等になっている。すなわち、指針１ａ１、意匠１ａ２、意匠１ａ３にスイッチ２ａ１が対応し、意匠１ａ４にスイッチ２ａ４が対応するようになっている。
【００４２】
指針１ｂ１、意匠１ｂ２、意匠１ｂ３及び、意匠１ｂ４の配置関係と、これらをそれぞれ指示制御するためのスイッチ２ｂ１及びスイッチ２ｂ４の配置関係も同等になっている。すなわち、指針１ｂ１、意匠１ｂ２、意匠１ｂ３にスイッチ２ｂ１が対応し、意匠１ｂ４にスイッチ２ｂ４が対応するようになっている。
【００４３】
指針１ｃ１、意匠１ｃ２、意匠１ｃ３及び、意匠１ｃ４の配置関係と、これらをそれぞれ指示制御するためのスイッチ２ｃ１及びスイッチ２ｃ４の配置関係も同等になっている。すなわち、指針１ｃ１、意匠１ｃ２、意匠１ｃ３にスイッチ２ｃ１が対応し、意匠１ｃ４にスイッチ２ｃ４が対応するようになっている。
【００４４】
したがって、ドライバは、操作スイッチ部（各スイッチ）をいちいち視認することなく、所望の情報指示部（指針、意匠）を指示制御すること、すなわち、ブラインド操作が可能になる。したがって、安全運転がより促進される。
【００４５】
なお、請求項中の情報指示部及び操作スイッチ部はそれぞれ、第１実施形態中の情報指示部１ａ、１ｂ、１ｃ及び操作スイッチ部２ａ、２ｂ、２ｃとみなしてもよいし、第１実施形態中の指針、意匠及び対応する各スイッチとみなしてもよい。
【００４６】
続いて、図３及び図４を用いて、本発明の第２実施形態の基本構成について説明する。図３は、第２実施形態の表示分離型スイッチがセンタクラスタに配置された状態を示す図である。図４は、第２実施形態の表示分離型スイッチの拡大正面図である。
【００４７】
図３に示すように、第２実施形態の表示分離型スイッチも、表示部１１及び操作部１２が分離独立されて、例えば、車室前方のセンタークラスタ１３に配置されている。但し、表示分離型スイッチは、複数の電送機器が一体化されたものであり、表示部１１及び操作部１２もこれに対応したものである。なお、センタークラスタ１３やその近傍には、速度計やエンジン回転計等が一体化されたコンビネーションメータ１４、送風吹出口１５、オーディオ機器１６等も配置されている。
【００４８】
この表示分離型スイッチの表示部１１は、運転席に着座したドライバから視認可能な定められた部位に固定的に配置され、異なる情報をそれぞれ指示する複数の情報指示部１１ａ、１１ｂ、１１ｃを有して構成される。この情報指示部１１ａ、１１ｂ、１１ｃについては、図４において、詳細に説明する。表示部１１もまた、ドライバの有効視野範囲に配置されるようにすることが好ましい。
【００４９】
また、操作部１２は、表示部１１の下方のドライバから手の届く範囲に固定的に配置され、上記複数の情報指示部１１ａ、１１ｂ及び１１ｃをそれぞれ指示制御するための複数の操作スイッチ部１２ａ、１２ｂ及び１２ｃを有して構成される。この操作スイッチ部１２ａ、１２ｂ及び１２ｃについては、図４において、詳細に説明する。
【００５０】
このように、この表示分離型スイッチの表示部１１は、運転席に着座したドライバから視認可能な定められた部位に固定的に配置され、操作部１２は、表示部１１の下方のドライバから手の届く範囲に固定的に配置されているので、ドライバの視認性及び操作性の両方を同時に満足させることが可能になる。したがって、安全運転が促進される。
【００５１】
図４に示すように、情報指示部１１ａは、エアコン制御に対応し、詳細には、オンオフ点灯される意匠１１ａ１、１１ａ２、１１ａ３、１１ａ４及び１１ａ５、並びに、数字セグメント１１ａ５′から構成される。意匠１１ａ１、１１ａ２、１１ａ３、１１ａ４及び１１ａ５は、黒地の文字板に中抜き印刷されて形成されている。これら意匠１１ａ１、１１ａ２、１１ａ３、１１ａ４及び１１ａ５は、背面に配置された光源が制御されて点灯及び輝度制御される。また、数字セグメント１１ａ５′は、複数のセグメントが点灯制御されて該当数字を表示する。
【００５２】
また、情報指示部１１ｂは、風量制御に対応し、詳細には、オンオフ点灯される意匠１１ｂ１、１１ｂ２から構成される。特に、意匠１１ｂ２は、風量をバー表示するものである。意匠１１ｂ１、１１ｂ２は、黒地の文字板に中抜き印刷されて形成されている。これら意匠１１ｂ１、１１ｂ２は、背面に配置された光源が制御されて点灯及び輝度制御される。
【００５３】
また、情報指示部１１ｃは、風向制御に対応し、詳細には、オンオフ点灯される意匠１１ｃ１、１１ｃ２から構成される。意匠１１ｃ１、１１ｃ２は、黒地の文字板に中抜き印刷されて形成されている。これら意匠１１ｃ１、１１ｃ２は、背面に配置された光源が制御されて点灯及び輝度制御される。
【００５４】
一方、操作スイッチ部１２ａは、情報指示部１１ａに対応し、プッシュ式スイッチ１２ａ１、１２ａ２、１２ａ３及び１２ａ４、並びにダイヤルプッシュ式スイッチ１２ａ５から構成される。プッシュ式スイッチ１２ａ１、１２ａ２、１２ａ３及び１２ａ４のオンオフに応答して該当する光源が点灯制御されて、これに応じて上記意匠１１ａ１、１１ａ２、１１ａ３及び１１ａ４が点灯制御される。
【００５５】
また、ダイヤルプッシュ式スイッチ１２ａ５が、ダイヤル式スイッチとして機能するときには、上記数字セグメント１１ａ５′中の所定のセグメントが点灯制御される。すなわち、図中、矢印で示すように、ダイヤルプッシュ式スイッチ１２ａ５が操作されると、スイッチ１２ａ１の回転角に応じて発生された制御信号により、これに応じた数字セグメント１１ａ５′中の所定セグメントが点灯制御されて該当数字が表示される。勿論、指示以外の本来の制御もこれと共に行われる。
【００５６】
ダイヤルプッシュ式スイッチ１２ａ５が、プッシュ式スイッチとして機能するときには、該当する光源を点灯制御する。すなわち、ダイヤルプッシュ式スイッチ１２ａ５のオンオフに応答して該当する光源が点灯制御されて、これに応じて意匠１１ａ５が点灯制御される。
【００５７】
操作スイッチ部１２ｂは、情報指示部１１ｂに対応し、プッシュ式スイッチ１２ｂ１、１２ｂ２から構成される。プッシュ式スイッチ１２ｂ１、１２ｂ２のオンオフに応答して該当する光源が点灯制御されて、これに応じて上記意匠１１ａ１、１１ａ２が点灯制御される。特に、プッシュ式スイッチ１２ｂ２が押下される度に、意匠１１ｂ２により風量に対応するバー表示量が変化する。
【００５８】
操作スイッチ部１２ｃは、情報指示部１１ｃに対応し、プッシュ式スイッチ１２ｃ１、１２ｃ２から構成される。プッシュ式スイッチ１２ｃ１、１２ｃ２のオンオフに応答して該当する光源が点灯制御されて、これに応じて上記意匠１１ｃ１、１１ｃ２が点灯制御される。特に、プッシュ式スイッチ１２ｃ２が押下される度に、意匠１１ｃ２における４つの意匠の点灯が順次切り替わる。
【００５９】
このような構成に加えて、情報指示部１１ａ、１１ｂ及び１１ｃの配置関係と、これら情報指示部１１ａ、１１ｂ及び１１ｃをそれぞれ指示制御するための操作スイッチ部１２ａ、１２ｂ及び１２ｃの配置関係とは、同等になっている。すなわち、情報指示部１１ａに操作スイッチ部１２ａが対応し、情報指示部１１ｂに操作スイッチ部１２ｂが対応し、情報指示部１１ｃに操作スイッチ部１２ｃが対応するようになっている。
【００６０】
より詳細には、意匠１１ａ１、１１ａ２、１１ａ３、１１ａ４及び１１ａ５の配置関係と、これらをそれぞれ指示制御するためのスイッチ１２ａ１、１２ａ２、１２ａ３、１２ａ４及び１２ａ５の配置関係も同等になっている。なお、数字セグメント１１ａ５′及びスイッチ１２ａ５もそれぞれ、表示部１１及び操作部１２において同等の配置関係になっている。
【００６１】
また、意匠１１ｂ１及び１１ｂ２の配置関係と、これらをそれぞれ指示制御するためのスイッチ１２ｂ１及び１２ｂ２の配置関係も同等になっており、意匠１１ｃ１及び１１ｃ２の配置関係と、これらをそれぞれ指示制御するためのスイッチ１２ｃ１及び１２ｃ２の配置関係も同等になっている。
【００６２】
したがって、ドライバは、操作スイッチ部（各スイッチ）をいちいち視認することなく、所望の情報指示部（指針、意匠）を指示制御すること、すなわち、ブラインド操作が可能になる。したがって、安全運転がより促進される。
【００６３】
なお、請求項中の情報指示部及び操作スイッチ部はそれぞれ、第２実施形態中の情報指示部１１ａ、１１ｂ、１１ｃ及び操作スイッチ部１２ａ、１２ｂ、１２ｃとみなしてもよいし、第２実施形態中の各意匠（数字セグメントも含む）及び対応する各スイッチとみなしてもよい。
【００６４】
続いて、図５及び図６を用いて、上記第１実施形態及び第２実施形態に共通するスイッチ操作に対応した表示制御処理等について説明する。図５は、第１実施形態及び第２実施形態に共通する表示分離型スイッチの電気的な構成を示すブロック図である。図６は、第１実施形態及び第２実施形態に共通する表示分離型スイッチの処理手順を示すフローチャートである。
【００６５】
図５に示すように、第１実施形態及び第２実施形態の表示分離型スイッチにおいて、表示部１（１１）は、ＣＰＵ１１０、ドライバ１１１、１１３、数字セグメントを表示する表示器１１２、ＬＥＤ１１４を含んで構成される。ＣＰＵ１１０は、図６に示すような制御を司る。ＬＥＤ１１４は、表示部２（１２）の各意匠や指針を点灯させたり、所定の輝度で点灯させたりするためのものである。操作部２（１２）は、上記プッシュ式スイッチに対応するオンオフスイッチ２１１、上記ダイヤル式スイッチ（ダイヤルプッシュ式スイッチのダイヤル式スイッチ機能も含む）対応するボリュームスイッチ２１２を含んで構成される。なお、ＣＰＵ１１０は、操作部２（１２）側にあってもよい。
【００６６】
このような構成において、図６に示すように、キーポジションがアクセサリーオンに切り替えられると（ステップＳ１のＹ）、表示器１１２、ＬＥＤ１１４が暗点灯される（ステップＳ２）。すなわち、表示器１１２の輝度が制御されて現設定値に対応する数字セグメントが暗点灯されると共に、ＬＥＤ１１４の輝度が制御されて該当する意匠や指針が暗点灯される。次に、スイッチ２１１、２１２にいずれかの入力があると（ステップＳ３のＹ）、表示器１１２及びＬＥＤ１１４の輝度が制御されて該当する部分である数字セグメント、意匠、指針の輝度がアップされる（ステップＳ４）。
【００６７】
次に、上記ステップＳ３とは他のスイッチ２１１、２１２の入力があると（ステップＳ５のＹ）、表示器１１２及びＬＥＤ１１４の輝度が制御されてステップＳ４で輝度アップされた部分である数字セグメント、意匠、指針の輝度がダウンされる（ステップＳ６）と同時に、他のスイッチ２１１、２１２の入力に対応する部分である数字セグメント、意匠、指針の輝度がアップされる（ステップＳ４）。
【００６８】
また、スイッチ２１１、２１２の入力がなく（ステップＳ５のＮ）、且つ、５秒経過すると（ステップＳ７のＹ）、表示器１１２及びＬＥＤ１１４の輝度が制御されてステップＳ４で輝度アップされた部分である数字セグメント、意匠、指針の輝度がダウンされる（ステップＳ８）。すなわち、ステップＳ２と同様に、各部が暗点灯された状態となる。そして、キーポジションがアクセサリーオフに切り替えられない限り（ステップＳ９のＮ）、上記処理が繰り返される（ステップＳ３）。
【００６９】
このような処理手順により、操作されたスイッチ部に対応する情報指示部のみの輝度が一定時間だけアップされる。したがって、操作したスイッチ部を正確にドライバに認識させることができるので、安全運転がより促進される。なお、図６に示した処理手順及び関連するハードウエアは、請求項の輝度制御手段に対応する。
【００７０】
以上のように、本発明の実施形態によれば、運転席に着座したドライバから視認可能な定められた部位に固定的に配置され、異なる情報をそれぞれ指示する複数の情報指示部１ａ〜１ｃ、１１ａ〜１１ｃを有する表示部１、１１と、表示部とは独立し且つドライバから手の届く範囲に固定的に配置され、複数の情報指示部をそれぞれ指示制御するための複数の操作スイッチ部２ａ〜２ｃ、１２ａ〜１２ｃ、を有する操作部２、１２とを含むので、ドライバの視認性及び操作性の両方を同時に満足させることが可能になる。したがって、安全運転が促進される。また、複数の情報指示部１ａ〜１ｃ、２ａ〜２ｃ、の配置関係と、複数の情報指示部をそれぞれ指示制御するための複数の操作スイッチ部２ａ〜２ｃ、１２ａ〜１２ｃの配置関係と、を同等にしている。よって、ドライバは、操作スイッチ部を視認することなく、所望の情報指示部を指示制御すること、すなわち、ブラインド操作が可能になる。したがって、安全運転がより促進される。
【図面の簡単な説明】
【００７１】
【図１】第１実施形態の表示分離型スイッチがセンタクラスタに配置された状態を示す図である。
【図２】第１実施形態の表示分離型スイッチの拡大正面図である。
【図３】第２実施形態の表示分離型スイッチがセンタクラスタに配置された状態を示す図である。
【図４】第２実施形態の表示分離型スイッチの拡大正面図である。
【図５】第１実施形態及び第２実施形態に共通する表示分離型スイッチの電気的な構成を示すブロック図である。
【図６】第１実施形態及び第２実施形態に共通する表示分離型スイッチの処理手順を示すフローチャートである。
【図７】従来のマルチディスプレイ型スイッチを示す正面図である。
【符号の説明】
【００７２】
１、１１  表示部
２、１２  操作部
１ａ〜１ｃ、１１ａ〜１１ｃ  情報指示部
２ａ〜２ｃ、１２ａ〜１２ｃ  操作スイッチ部
【図１】
2005297763.tif 000003
【図２】
2005297763.tif 000004
【図３】
2005297763.tif 000005
【図４】
2005297763.tif 000006
【図５】
2005297763.tif 000007
【図６】
2005297763.tif 000008
【図７】
2005297763.tif 000009